(57)【要約】【課題】浴槽の位置決めならびに固定作業を容易に行うことができる浴槽の設置方法及び設置構造を提供する。【解決手段】開口部外側へ張り出した周縁部２０を有する浴槽１１と、浴槽１１を載置し、一の側が洗い場フロア１３に隣接する防水パン１２と、一の側を除く防水パン１２の周縁に設置され浴槽１１の周縁部に接する周壁部６０とを備え、防水パン１２は、一の側と対向する他の側に、上方へ突出した位置決め部材３１を有し、位置決め部材３１に浴槽下部に備えた位置決め凹部を接合させることによって浴槽１１の位置決めを行い、周壁部６０に固定金具５１を用いて浴槽１１の周縁部２０を固定したことを特徴とする。【選択図】図１
2016146927.tif 000002
【特許請求の範囲】
【請求項１】
浴槽を載置し、一の側が洗い場フロア部材に隣接する防水パンと、前記一の側を除く前記防水パンの周縁に設置され前記浴槽の周縁部に接する周壁と、を備えた浴室に、開口部外側へ張り出した周縁部を有する前記浴槽を設置する浴槽の設置方法であって、
上方へ突出し、前記防水パンの一の側と対向する他の側に設けた位置決め部材に、前記浴槽下部に備えた位置決め凹部を接合させ該浴槽の位置決めを行う過程と、
前記周壁に固定手段を用いて前記浴槽の周縁部を固定する過程と、
を有することを特徴とする浴槽の設置方法。
【請求項２】
前記浴槽の周縁部を固定する過程は、
前記周壁の隅角部に備えた前記固定手段により前記浴槽の周縁部の縁角部の位置決めを行う過程を含むことを特徴とする請求項１に記載の浴槽の設置方法。
【請求項３】
前記浴槽の周縁部を固定する過程は、
前記周壁の屋内側に設置される壁パネルを、前記浴槽の周縁部とともに前記周壁に固定する過程を含むことを特徴とする請求項１または２に記載の浴槽の設置方法。
【請求項４】
開口部外側へ張り出した周縁部を有する浴槽と、
前記浴槽を載置し、一の側が洗い場フロア部材に隣接する防水パンと、
前記一の側を除く前記防水パンの周縁に設置され前記浴槽の周縁部に接する周壁と、
を備えた浴槽の設置構造であって、
前記防水パンは、前記一の側と対向する他の側に、上方へ突出した位置決め部材を有し、
前記位置決め部材に前記浴槽下部に備えた位置決め凹部を接合させることによって前記浴槽の位置決めを行い、
前記周壁に固定手段を用いて前記浴槽の周縁部を固定した、
ことを特徴とする浴槽の設置構造。
【請求項５】
前記浴槽の周縁部は複数の縁角部を有し、
前記周壁は前記縁角部に接する角隅部を有し、
前記固定手段を前記角隅部に備えて、前記縁角部の位置決めを行う、
ことを特徴とする請求項４に記載の浴槽の設置構造。
【発明の詳細な説明】
【技術分野】
【０００１】
本発明は、システムバス等の浴室に浴槽を設置する浴槽の設置方法及び設置構造に関するものである。
【背景技術】
【０００２】
浴槽、洗面台、シャワー、洗い場などを有するシステムバスルームは、上方視した外周形状が略四辺形の浴槽を用いることが多く、当該浴槽の周囲三方を壁パネルで囲い、一方を洗い場に面するように配置構成されている。
一般的な浴槽の設置では、防水パンに当該浴槽を搭載して住宅等の防湿もしくは防腐を図っており、防水パンの上面にブロック等を複数個、例えば適当な間隔を有する四か所に当該ブロックを固定し、これらブロック上に浴槽の底部を載置している（例えば、特許文献１参照）。
また、このように浴槽を載置する場合、各ブロック上面にシリコン系などの接着剤を塗布し、これらブロックを介して防水パンに浴槽を固定している。
【先行技術文献】
【特許文献】
【０００３】
【特許文献１】特開２００７−３１９４４５号公報
【発明の概要】
【発明が解決しようとする課題】
【０００４】
従来のシステムバスは、浴槽の底部もしくはその近傍を防水パン等に固定しているため、システムバスの組み立てにおいて浴槽を設置するときには、システムバスの浴室床近傍で様々な作業を行うことになり、設置作業が困難なものになるという問題点があった。
また、浴槽の底部を支持固定する構造において充分な耐震性を確保するためには、支持部材等の大型化を図る、あるいは十分な強度等を有する高価な素材を用いることになり、製造ならびに設置コストを上昇させてしまうという問題点があった。
【０００５】
本発明は、上記実情に鑑み提案されたもので、浴槽の位置決めならびに固定作業を容易に行うことができる浴槽の設置方法及び設置構造を提供することを目的とする。
【課題を解決するための手段】
【０００６】
この発明に係る浴槽の設置方法は、浴槽を載置し、一の側が洗い場フロア部材に隣接する防水パンと、前記一の側を除く前記防水パンの周縁に設置され前記浴槽の周縁部に接する周壁と、を備えた浴室に、開口部外側へ張り出した周縁部を有する前記浴槽を設置する浴槽の設置方法であって、上方へ突出し、前記防水パンの一の側と対向する他の側に設けた位置決め部材に、前記浴槽下部に備えた位置決め凹部を接合させ該浴槽の位置決めを行う過程と、前記周壁に固定手段を用いて前記浴槽の周縁部を固定する過程とを有することを特徴とする。
【０００７】
また、前記浴槽の周縁部を固定する過程は、前記周壁の隅角部に備えた前記固定手段により前記浴槽の周縁部の縁角部の位置決めを行う過程を含むことを特徴とする。
【０００８】
また、前記浴槽の周縁部を固定する過程は、前記周壁の屋内側に設置される壁パネルを、前記浴槽の周縁部とともに前記周壁に固定する過程を含むことを特徴とする。
【０００９】
この発明に係る浴槽の設置構造は、開口部外側へ張り出した周縁部を有する浴槽と、前記浴槽を載置し、一の側が洗い場フロア部材に隣接する防水パンと、前記一の側を除く前記防水パンの周縁に設置され前記浴槽の周縁部に接する周壁と、を備えた浴槽の設置構造であって、前記防水パンは、前記一の側と対向する他の側に、上方へ突出した位置決め部材を有し、前記位置決め部材に前記浴槽下部に備えた位置決め凹部を接合させることによって前記浴槽の位置決めを行い、前記周壁に固定手段を用いて前記浴槽の周縁部を固定したことを特徴とする。
【００１０】
また、前記浴槽の周縁部は複数の縁角部を有し、前記周壁は前記縁角部に接する角隅部を有し、前記固定手段を前記角隅部に備えて、前記縁角部の位置決めを行うことを特徴とする。
【発明の効果】
【００１１】
この発明によれば、浴槽を設置する際の位置決めを容易にすることができ、また、充分な耐震性を備えるとともに固定施工を簡便に行うことができる。
【図面の簡単な説明】
【００１２】
【図１】本発明の実施例による浴槽の設置方法を用いた設置構造を示す説明図である。
【図２】本実施例の浴槽の設置方法を用いた設置構造を示す説明図である。
【図３】図２の浴槽の設置方法を用いた設置構造を示す説明図である。
【図４】本実施例の浴槽の設置方法及び設置構造に用いる固定金具を示す説明図である。
【発明を実施するための形態】
【００１３】
以下、この発明の実施の一形態を説明する。
（実施例）
図１は、本発明の実施例による浴槽の設置方法を用いた設置構造を示す説明図である。この図は、当該設置構造を構成する浴槽１１と防水パン１２とを分離して示したものである。
浴槽１１は、システムバスルーム（浴室）において一方を洗い場等に面し、残り三方を壁部に接して配置するように形成されている。
具体的には、浴槽１１の上端となる周縁部２０は上方視したとき四辺形をしており、周縁部２０の縁角部２１と縁角部２２の間、縁角部２２と縁角部２３の間、縁角部２１と縁角部２４の間は、後述する周壁部６０と接するように形成されている。
周縁部２０は、浴槽１１開口部の周縁部分であり、開口部外側へ張り出したフランジ状に形成されている。
浴槽１１の下端部には、後述する複数の固定金具５２が前方へ突出して固定されている。
【００１４】
防水パン１２は、浴槽１１を載置する略盆状に形成されたもので、周端部位にはシステムバスルームの壁部分を構成する周壁部６０が設置されている。
なお、防水パン１２の床面部分は略四辺形に形成されており、周壁部６０は床面部分の（略四辺形のうち）三方の周辺部分に設けられ、上方視したとき略コの字状に配置されている。
略コの字状に設置された周壁部６０の角隅部分もしくは接合部分（例えば、これらの各上端部分）には、後述する固定金具５１が各々設置固定されている。
【００１５】
周壁部６０が設けられていない防水パン１２の一の側には、洗い場フロア（洗い場フロア部材）１３が隣接配置され、洗い場フロア１３と防水パン１２との接合部分は、漏水等が生じないように防水処理がなされている。
防水パン１２の床面上において、洗い場フロア１３が隣接する一の側と対向する側（システムバスルーム内に配置された浴槽１１の奥側となる位置）には、上方に突出した位置決め部材３１が適当な間隔をおいて複数個設置されている。
【００１６】
図２は、本実施例の浴槽の設置方法を用いた設置構造を示す説明図である。この図は、浴槽の設置構造を側方視したときの配置構成を示したもので、縁角部２１と縁角部２２との間の部分が接している周壁部６０の配置が図中左側になり、防水パン１２に隣接している洗い場フロア１３の配置が図中右側となる（システムバスルーム内の）位置における断面である。
防水パン１２及び洗い場フロア１３などは、例えば住宅等の建物の床面部４０の上面に設置固定されており、また、図示を省略した上下水管等が配設されている。
【００１７】
浴槽１１は、下端部に位置決め凹部２５を有しており、この位置決め凹部２５を防水パン１２の位置決め部材３１と接合（嵌合）して位置決めを行い、当該防水パン１２の床面に載置されている。
浴槽１１は、位置決め部材３１と接合することにより、周縁部２０が周壁部６０と接する位置に設置され、高さ方向においては周縁部２０が周壁部６０の上端部分と接する。
【００１８】
洗い場フロア１３と対向する側に設置された周壁部６０には、当該周壁部６０の上端部分に、固定金具５１が設置固定されている。固定金具５１は、例えば浴槽１１の縁角部２１及び縁角部２２の位置決めを行うもので、浴室の隅角位置、詳しくは当該周壁部６０の両側隅角部分に配置固定されている。
周壁部６０の各固定金具５１に、各々縁角部２１と縁角部２２が接合する（あるいは係合する）ように浴槽１１を設置することにより、当該浴槽１１の位置決めを精度良く行うことができる。
この固定金具５１には、後述するように各壁パネル６０間を接続するコーナー接続金具６０ａが固定されている。
【００１９】
固定金具５２は、浴槽１１下端部の位置決め凹部２５が設けられた側と対向する側に適当な間隔を設けて、例えば二つの固定金具５２が固定されており、当該固定金具５２が洗い場フロア１３近傍において防水パン１２に固定されている。
換言すると、固定金具５２は、浴槽１１の縦断面上において固定金具５１と対向配置されており、固定金具５１が浴槽１１の上端部分の位置決めを行い、固定金具５２が浴槽１１の下端部分を固定している。
【００２０】
図３は、図２の浴槽の設置方法を用いた設置構造を示す説明図である。図３（ａ）は、図２に示した周壁部６０等と浴槽１１の周縁部２０との固定部分を示し、図３（ｂ）は、図２の浴槽１１下端部と防水パン１２との固定部分を示したものである。
なお、図３に示した周壁部６０は、図２と同様に洗い場フロア１３と対向する側に設置された周壁部６０である。
図３（ａ）に示した部分では、浴槽１１の縁角部２１，２２に設けられている、下方に開口した凹部（挿入溝）に周壁部６０の上端が挿入され、また、固定金具５１の下端が周壁部６０の上端に係止されている。このように下端が係止された固定金具５１は、当該下端ならびにその近傍の部分と周壁部６０との間に、浴槽１１の縁角部２１または縁角部２２を挟み込んで固定している。
【００２１】
また、縁端部２１，２２には上方に開口した凹部（挿入溝）が設けられており、ここに壁パネル６１の下端が挿入されている。
壁パネル６１は、コーナー接続金具６０ａが固定金具５１に接続固定されることにより縁端部２１，２２に接合（固定）されている。
上記のように下端を周壁部６０に係止している固定金具５１は、システムバスルームの外側において各周壁部等に取り付けられており、当該固定金具５１の上端もしくはその近傍部分には、コーナー接続金具６０ａが接続固定されている。
具体的には、固定金具５１の上端の位置において、コーナー接続金具６０ａの所定位置に設けられた穴部等にボルト７０あるいはリベット等を挿通し、これを固定金具５１上端に設けられたボルト穴等に締結固定している。このように構成して、縁端部２１，２２と、周壁部６０と、壁パネル６１とを固定している。
【００２２】
図３（ｂ）に示した部分は、浴槽１１下端部の洗い場フロア１３側に配置される部分である。固定金具５２は、一端もしくはその近傍を浴槽１１の底面部外側に固定されており、他端を浴槽１１の外側面から洗い場フロア１３側へ向かって略水平方向に突出させ、防水パン１２の端部内側に設けられている固定部位に、例えばボルト７１を締結することによって固定されている。
即ち、固定金具５２の他端は、浴槽１１から離間された位置において防水パン１２の周端部もしくはその近傍に固定されている。
なお、固定金具５２が固定されている浴槽１１下端部は防水パン１２の床面に載置されており、浴槽１１の全重量は当該固定金具５２には荷重されない。
【００２３】
図４は、本実施例の浴槽の設置方法及び設置構造に用いる固定金具を示す説明図である。この図は、図１の周壁部６０に取付け固定されている固定金具５１を示したものである。
固定金具５１は、前述のように周壁部６０の角隅部分もしくは接合部分に設置され、角隅部分等への取付けに適応するように略Ｌ字状に形成されている。
固定金具５１は、図１に示したように浴槽１１の縁角部２１及び縁角部２２と接する位置に備えられ、浴槽１１を防水パン１２に載置してシステムバスルーム内に設置するとき、浴槽１１の角隅の位置決め及び固定を行う。
【００２４】
以上のように本実施例によれば、システムバスルームの奥側に位置決め部材３１を設置したので、設置作業において防水パン１２の床面上における浴槽１１の移動が容易になり、また予め設定した所定位置に載置することが容易になる。
また、周壁部６０の角隅部に略Ｌ字型の固定金具５１を設け、浴槽１１の周縁部２０のうち縁角部２１及び縁角部２２を周壁部６０へ固定するようにしたので、浴槽１１をシステムバスルームへ設置するとき、浴槽１１の周縁部２０もしくは縁角部２１，２２等の位置決めを行うことができる。またさらに、浴槽１１の上端の位置で固定施工を簡易に行うことができる。
また、固定金具５１により、浴槽１１の縁角部２１，２２とともに壁パネル６１を周壁部６０等に固定したので、壁パネル６１の浮き上がりを防ぐことができる。
また、浴槽１１の上端を固定金具５１によって固定し、浴槽１１の下端を固定金具５２によって固定したので、比較的簡素な構成で充分な耐震性を備えることができる。
【符号の説明】
【００２５】
１１浴槽
１２防水パン
１３洗い場フロア
２０周縁部
２１〜２４縁角部
２５位置決め凹部
３１位置決め部材
５１，５２固定金具
６０周壁部
６０ａコーナー接続金具
６１壁パネル
７０，７１ボルト
【図１】
2016146927.tif 000003
【図２】
2016146927.tif 000004
【図３】
2016146927.tif 000005
【図４】
2016146927.tif 000006